(57)【要約】【課題】取付が容易に行えて、工場生産部分が多いユニット建物に用いて好適なユニット建物の螺旋階段取付構造及び該螺旋階段取付構造を用いた施工方法を提供する。【解決手段】ユニット建物７を構成する下階建物ユニット９が、四隅に配設される柱材１０，１０と、各柱材１０，１０間を接続する上梁材１１，１１及び下梁材１２，１２とを有して構成されている。一対の下梁材１２，１２間に架け渡された床小梁１７には、取付金具１８を介して、螺旋階段１３のセンターポール１９の取付フランジ部１９ａを固定すると共に、このセンターポール１９の上部が、上梁材１１から片持ち支持で突設される踊り場２５の縁部に固定されている。【選択図】  図１
2004169383.tif 000002
【特許請求の範囲】
【請求項１】
ユニット建物を構成する建物ユニットが、四隅に配設される柱材と、該各柱材間を接続する上梁材及び下梁材とを有して構成されると共に、前記少なくとも一対の下梁材間に架け渡された床小梁に、取付金具を介して、螺旋階段の支柱部の下端を固定すると共に、該支柱部の少なくとも一部を前記上梁材から片持ち支持で突設させる踊り場の縁部に固定することを特徴とするユニット建物の螺旋階段取付構造。
【請求項２】
前記建物ユニットの床小梁に、前記取付金具を用いて前記下端を予め工場にて固定すると共に、前記踊り場の縁部に、前記支柱部の少なくとも一部を予め工場にて固定することを特徴とする請求項１記載のユニット建物の螺旋階段取付構造を用いた施工方法。
【発明の詳細な説明】
【０００１】
【発明の属する技術分野】
本発明は、ユニット建物、特に一般の住宅にも用いて好適なユニット建物の螺旋階段取付構造及び該螺旋階段取付構造を用いた施工方法に関する。
【０００２】
【従来の技術】
従来、図１４に示すような螺旋階段取付構造が知られている（例えば、特許文献１，２，３参照）。
【０００３】
このような螺旋階段取付構造では、上階１と下階２とに渡って垂直に支柱３が立設されている。
【０００４】
この支柱３には、上下方向に順次段差を設けると共に、中心線を中心として、順次角度をずらしながら放射状に突設されたブラケット５…が設けられている。
【０００５】
これらのブラケット５…には、各々先端部分に補助支柱６…が設けられている。
【０００６】
そして、これらのブラケット５…の上面には、板状の踏板４…が水平に固定されている。
【０００７】
更に、この補助支柱６の上端には、手摺部材６ａが装着されている。
【０００８】
【特許文献１】
特開２００１−１９３２４６号公報（第２頁〜第４頁、図１〜図４）
【特許文献２】
特開平７−３１０４１４号公報
【特許文献３】
特開平５−３４０１１２号公報
【０００９】
【発明が解決しようとする課題】
しかしながら、上記従来の螺旋階段取付構造では、下階２の上部に上階１を施工した後でなければ、上，下階１，２間に連続して配置される前記支柱３及び補助支柱６…の固定が行えない。
【００１０】
このため、現場施工でも最後の仕上げ工程で、螺旋階段が施工される場合が殆どであった。
【００１１】
また、上階の床部１ａの床根太１ｂ側面に、踊り場１ｃを固着することにより、前記床部１ａの上面１ｄと踊り場１の上面１ｅとの段差を無くすように構成されているので、例えば、工場内で１階の建物ユニットを組み立てる際に、この踊り場を取り付ける事が出来ない。
【００１２】
従って、このような建物ユニットを用いるユニット建物工法の建物には、もちい難いといった問題があった。
【００１３】
そこで、本発明は、上記の問題に鑑みて為されたものであり、取付が容易に行えて、工場生産部分が多いユニット建物に用いて好適なユニット建物の螺旋階段取付構造及び該螺旋階段取付構造を用いた施工方法を提供することを課題とするものである。
【００１４】
【課題を解決するための手段】
上記課題を解決するために、請求項１に記載のものでは、ユニット建物を構成する建物ユニットが、四隅に配設される柱材と、該各柱材間を接続する上梁材及び下梁材とを有して構成されると共に、前記少なくとも一対の下梁材間に架け渡された床小梁に、取付金具を介して、螺旋階段の支柱部の下端を固定すると共に、該支柱部の少なくとも一部を前記上梁材から片持ち支持で突設させる踊り場の縁部に固定するユニット建物の螺旋階段取付構造を特徴としている。
【００１５】
このように構成された請求項１記載のものでは、前記建物ユニットの前記少なくとも一対の下梁材間に架け渡された床小梁に、取付金具を介して、螺旋階段の支柱部の下端が固定されると共に、該支柱部の少なくとも一部が前記上梁材から片持ち支持で突設させる踊り場の縁部に固定されて、該建物ユニットへの装着が略完了する。
【００１６】
このため、施工が容易でしかも、前記上，下梁材及び床小梁が金属で構成される金属製フレームを有する建物ユニットでは、固定部分の取付強度が高く、充分な取付剛性が得られる。
【００１７】
また、一つの建物ユニット内に予め螺旋階段を組み込むことが出来るので、搬送が容易である。
【００１８】
更に、請求項２に記載されたものでは、前記建物ユニットの床小梁に、前記取付金具を用いて前記下端を予め工場にて固定すると共に、前記踊り場の縁部に、前記支柱部の少なくとも一部を予め工場にて固定する請求項１記載のユニット建物の螺旋階段取付構造を用いた施工方法を特徴としている。
【００１９】
このように構成された請求項２記載のものでは、予め工場にて、前記建物ユニットの床小梁に、前記取付金具を用いて前記下端が固定されると共に、前記踊り場の縁部に、前記支柱部の少なくとも一部が固定される。
【００２０】
このため、施工現場では、建物ユニットの設置のみで螺旋階段を略施工することが出来て、施工性が良好である。
【００２１】
【発明の実施の形態１】
以下、本発明の実施の形態１に係るユニット建物の螺旋階段取付構造及び該螺旋階段取付構造を用いた施工方法を図１乃至図１３を用いて説明する。なお、従来例と同一乃至均等な部分については、同一符号を付して説明する。
【００２２】
この実施の形態１に係るユニット建物の螺旋階段取付構造及び該螺旋階段取付構造を用いた施工方法では、ユニット建物７を構成する複数の上階建物ユニット８…及び下階建物ユニット９…が、各々四隅に配設される金属製の柱材１０…と、これらの各柱材１０，１０間をジョイントピース１０ａ，１０ａを介して接続する金属製の上梁材１１…及び下梁材１２…とを有して、ボックスラーメン構造を呈するように構成されている。
【００２３】
また、この下階建物ユニット９の床部１４は、主に、複数の床根太１５…及びフローリング床板１６によって構成され、前記少なくとも一対の下梁材１２，１２間に架け渡された複数の床小梁１７…によって、これらの床根太１５…が支持されて構成されている。
【００２４】
そして、前記下階建物ユニット９の一つには、螺旋階段１３が、予め設けられている。
【００２５】
この螺旋階段１３は、鉛直方向に延設される円筒形状の支柱部としてのセンターポール１９が設けられている。
【００２６】
このセンターポール１９には、上下方向に順次段差を設けると共に、中心線を中心として、順次角度をずらしながら放射状に突設されたブラケット５…が設けられている。
【００２７】
これらのブラケット５…には、各々先端部分に補助落下防止支柱６ｃ…が設けられている。
【００２８】
そして、これらの各ブラケット５…の上面には、板状の踏板４…が、各々水平となるように固定されている。
【００２９】
更に、この補助支柱６…の上端には、螺旋状の手摺部材６ｂが装着されている。
【００３０】
また、この螺旋階段１３のセンターポール１９の下端には、平面至略正方形形状の取付フランジ部１９ａが一体に設けられている。
【００３１】
この取付フランジ部１９ａには、図９乃至図１３に示すように取付金具１８が、４本のボルト部材２０…及びナット部材２１…によって締結されて固定されている。
【００３２】
この取付金具１８は、前記取付フランジ部１９ａに締結固定される水平板部１８ａと、この水平板部１８ａの下面側に固着されて、所定の間隔を置いて四隅に設けられる取付ブラケット部材１８ｂ…とから主に構成されている。
【００３３】
また、前記床部１４を構成する床小梁１７のうち一つには、センターポール補強小梁２２，２２が直交するように設けられていて、図１２に示すように、交差部分を上面視で略十文字形状としている。
【００３４】
そして、この取付金具１８を介して、前記床小梁１７の一つと、センターポール補強小梁２２，２２とが直交する部分に、前記取付フランジ部１９ａが固定されるように構成されている。
【００３５】
すなわち、前記取付金具１８の前記取付ブラケット１８ｂ，１８ｂ間には、前記床小梁１７又はセンターポール補強小梁２２，２２が挿入可能な溝部１８ｃ，１８ｃが、十文字に交差するように形成されている。
【００３６】
この溝部１８ｃ，１８ｃ内には、前記床小梁１７又はセンターポール補強小梁２２，２２の交差する部分が挿入されると共に、挿入状態で前記各取付ブラケット１８ｂ，１８ｂの縦壁面部周縁が、図９及び図１０に一点鎖線で示す溶接予定線２３，２３及び２４，２４に沿って、溶接固定されるように構成されている。
【００３７】
更に、この実施の形態１では、前記センターポール１９の少なくとも一部である上部の側面１９ｂからは、支柱側取付金具１９ｃが一体に突設されている。
【００３８】
また、前記上梁材１１からは、片持ち支持となるように、踊り場２５が突設されている。
【００３９】
この踊り場２５は、図７及び図８に示すように下側を開放する断面略門型の金属製フレーム部材２６の上面に、木製の板材２７が貼設されて主に構成されている。
【００４０】
この金属製フレーム２６の側面板部２６ａは、前記上梁材１１の側面部１１ａに対して、複数のボルト部材２８…及びナット部材２９…によって、締結されて固定されることにより、前記板材２７の上面位置を、上階建物ユニット８の床部１４の上面部１４ａよりも一段低い位置となるように構成されている。
【００４１】
また、この金属製フレーム２６の他端側側面部２６ｂからは、踊り場側取付金具３０が一体に突設されている。
【００４２】
そして、前記支柱側取付金具１９ｃが、この踊り場側取付金具３０に対して、ボルト部材３１及びナット部材３２によって、上下方向で締結されて固定されている。
【００４３】
更に、この踊り場２５の周縁には、複数の縦柵部材３３…が、所定間隔を置いて立設されている。この縦柵部材３３…の上端部には、水平方向に延設される手摺部材６ａが固着されている。
【００４４】
次に、この実施の形態１のユニット建物の螺旋階段取付構造及び該螺旋階段取付構造を用いた施工方法の作用について説明する。
【００４５】
この実施の形態１では、ユニット建物の施工現場に、前記上，下階建物ユニット８，９を搬送する前に、下階建物ユニット９内に、前記螺旋階段１３を予め装着する。
【００４６】
すなわち、図９及び図１０に示すように、前記螺旋階段１３のセンターポール１９下端に位置する取付フランジ部１９ａには、ボルト部材２０…及びナット部材２１…が用いられて、前記取付金具１８が締結されて固定される。
【００４７】
次に、この取付金具１８の溝部１８ｃ，１８ｃ内には、図１１乃至図１３に示すように、前記床小梁１７又はセンターポール補強小梁２２，２２の交差する部分が挿入されると共に、挿入状態で前記各取付ブラケット１８ｂ，１８ｂの縦壁面部周縁が、図９及び図１０に一点鎖線で示す溶接予定線２３，２３及び２４，２４に沿って、溶接固定される。
【００４８】
このように、このセンターポール１９は、予め工場内でボックスラーメン構造を呈するように構成された前記下階建物ユニット９のうち、図１２に示す様な床小梁１７と、センターポール補強用小梁２２，２２とが十文字に交差する部分に、前記取付金具１８が用いられて、その取付フランジ１９ａが予め工場にて固定される。
【００４９】
また、図７に示すように、この下階建物ユニット９の前記上梁材１１の側面部１１ａには、前記踊り場２５の金属製フレーム部材２６の側面板部２６ａが、ボルト部材２８及びナット部材２９によって、締結されて固定されて、予め工場内で、この踊り場２５が、下階建物ユニット９上部で、内側に向けて片持ち支持で突設される。
【００５０】
そして、図２乃至図４に示されるように、前記センターポール１９の上部の側面１９ｂから一体に突設された支柱側取付金具１９ｃが、前記金属製フレーム２６の他端側側面部２６ｂから一体に突設された踊り場側取付金具３０に対して、ボルト部材３１及びナット部材３２によって、上下方向で締結されて固定される。
【００５１】
このように、前記下階建物ユニット９の少なくとも一対の下梁材１２，１２間に架け渡された床小梁１７に、取付金具１８を介して、螺旋階段１３のセンターポール１９の下端が固定されると共に、このセンターポール１９の上部が、踊り場２５の縁部に固定されて、下階建物ユニット９への装着が略完了する。
【００５２】
このため、施工が容易で、しかも、前記上，下梁材１１，１２及び床小梁１７が金属で構成される金属製フレームを有する下階建物ユニット９では、固定部分の取付強度が高く、充分な取付剛性が得られる。
【００５３】
また、一つの建物ユニット内に予め螺旋階段を組み込むことが出来るので、搬送が容易である。
【００５４】
更に、予め工場にて、螺旋階段１３を下階建物ユニット９に取り付けることにより、施工現場では、上，下階建物ユニット８，９の設置のみで螺旋階段を略施工することが出来て、施工性が良好である。
【００５５】
そして、図１に示される上梁材１１よりも、下階建物ユニット９上方に突出してしまう部分を、分割して搬送するように構成すれば、前記螺旋階段１３の踊り場２５を含む過半部分を工場で取り付けて搬送出来る。
【００５６】
このため、工場生産部分が多いユニット建物７に用いて好適なユニット建物７の螺旋階段１３の取付構造及び、この螺旋階段取付構造を用いた施工方法を提供することが出来る。
【００５７】
以上、実施の形態１を用いて本願発明に係る窓枠の取付構造を説明してきたが、本発明に係るユニット建物の螺旋階段取付構造及び該螺旋階段取付構造を用いた施工方法は、実施の形態１において示したものには、限定されない。
【００５８】
例えば、実施の形態１においては、上梁材１１よりも、下階建物ユニット９上方に突出してしまう部分を、分割して搬送するように構成しているが、特に、これに限らず、補助落下防止支柱６ｃの上階側数本及び、縦柵部材３３とこれらの上端に設けられる手摺部材６ｂ，６ｃのみを分割して、センターポール１９の上部は、そのまま養生のみを施して搬送するようにしてもよい。
【００５９】
【発明の効果】
以上説明してきたように、請求項１に記載された発明では、前記建物ユニットの前記少なくとも一対の下梁材間に架け渡された床小梁に、取付金具を介して、螺旋階段の支柱部の下端が固定されると共に、該支柱部の少なくとも一部が前記上梁材から片持ち支持で突設させる踊り場の縁部に固定されて、該建物ユニットへの装着が略完了する。
【００６０】
このため、施工が容易でしかも、前記上，下梁材及び床小梁が金属で構成される金属製フレームを有する建物ユニットでは、固定部分の取付強度が高く、充分な取付剛性が得られる。
【００６１】
また、一つの建物ユニット内に予め螺旋階段を組み込むことが出来るので、搬送が容易である。
【００６２】
更に、請求項２に記載されたものでは、予め工場にて、前記建物ユニットの床小梁に、前記取付金具を用いて前記下端が固定されると共に、前記踊り場の縁部に、前記支柱部の少なくとも一部が固定される。
【００６３】
このため、施工現場では、建物ユニットの設置のみで螺旋階段を略施工することが出来て、施工性が良好である、という実用上有益な効果を発揮する。
【図面の簡単な説明】
【図１】本発明の実施の形態１に係るユニット建物の螺旋階段取付構造及び該螺旋階段取付構造を用いた施工方法で、図５中Ｄ−Ｄ線に沿った位置での断面図である。
【図２】実施の形態１のユニット建物の螺旋階段取付構造で、センターポール上部の取付を説明する透過斜視図である。
【図３】実施の形態１のユニット建物の螺旋階段取付構造で、センターポール上部の取付を説明する上面図である。
【図４】実施の形態１のユニット建物の螺旋階段取付構造で、図２中Ｃ−Ｃ線に沿った位置での断面図である。
【図５】実施の形態１のユニット建物の螺旋階段取付構造で、建物ユニットの配置を説明する概念図である。
【図６】実施の形態１のユニット建物の螺旋階段取付構造で、螺旋階段が取り付けられた建物ユニットの構成を説明する上面図である。
【図７】実施の形態１のユニット建物の螺旋階段取付構造で、図１中Ｂ部の拡大断面図である。
【図８】実施の形態１のユニット建物の螺旋階段取付構造で、図７中Ｅ−Ｅ線に沿った位置での断面図である。
【図９】実施の形態１のユニット建物の螺旋階段取付構造で、センターポール下部を建物ユニットに取り付ける様子を説明する一側面図である。
【図１０】実施の形態１のユニット建物の螺旋階段取付構造で、センターポール下部を建物ユニットに取り付ける様子を説明し、図９と９０度異なる位置での他側面図である。
【図１１】実施の形態１のユニット建物の螺旋階段取付構造で、センターポール下部を建物ユニットに取り付けた様子を説明する図１３中Ｇ−Ｇ線に沿った位置での断面図である。
【図１２】実施の形態１のユニット建物の螺旋階段取付構造で、センターポール下部を建物ユニットに取り付けた様子を説明する水平断面図である。
【図１３】実施の形態１のユニット建物の螺旋階段取付構造で、センターポール下部を建物ユニットに取り付けた様子を説明する図１２中Ｆ−Ｆ線に沿った位置での断面図である。
【図１４】従来例の螺旋階段取付構造で、全体の構成を説明する側面図である。
【符号の説明】
７                ユニット建物
建物ユニット
８                上階建物ユニット
９                下階建物ユニット
１３              螺旋階段
１７              床小梁
１８              取付金具
１９              センターポール（支柱部）
１９ａ            取付フランジ部（下端）
２５              踊り場
【図１】
2004169383.tif 000003
【図２】
2004169383.tif 000004
【図３】
2004169383.tif 000005
【図４】
2004169383.tif 000006
【図５】
2004169383.tif 000007
【図６】
2004169383.tif 000008
【図７】
2004169383.tif 000009
【図８】
2004169383.tif 000010
【図９】
2004169383.tif 000011
【図１０】
2004169383.tif 000012
【図１１】
2004169383.tif 000013
【図１２】
2004169383.tif 000014
【図１３】
2004169383.tif 000015
【図１４】
2004169383.tif 000016